(57)【要約】【課題】遊技基板の製造および加工が容易で、かつ製造コストを低減することが可能な弾球遊技機を提供する。【解決手段】遊技基板３０上の遊技領域２１に打ち込まれた遊技球が入賞装置５０へ入球すると所定数の遊技球を賞球として払い出すとともに、入賞装置５０に入賞しなかった遊技球をアウト口２３から遊技領域２１外へ排出する。入賞装置５０は、遊技領域２１に打ち込まれた遊技球を受け入れる入球部（例えば、始動入賞口５４，一般入賞口５５，大入賞口５６）と、入球部に受け入れられた遊技球をアウト口２３へ排出する出球部（例えば、出球口５７）と、入球部および出球部を遊技基板３０の前面側で連通させる通路部５２とを一体に設けてなる。【選択図】          図１
2004254720.tif 000002
【特許請求の範囲】
【請求項１】
遊技基板上の遊技領域に打ち込まれた遊技球が入賞装置へ入球すると所定数の遊技球を賞球として払い出すとともに、前記入賞装置に入賞しなかった遊技球をアウト口から前記遊技領域外へ排出する弾球遊技機であって、
前記入賞装置は、
前記遊技領域に打ち込まれた遊技球を受け入れる入球部と、
前記入球部に受け入れられた遊技球を前記アウト口へ排出する出球部と、
前記入球部および前記出球部を前記遊技基板の前面側で連通させる通路部とを一体に設けてなることを特徴とする弾球遊技機。
【請求項２】
前記入賞装置の入球部には、遊技球を検出する検出センサを設けたことを特徴とする請求項１記載の弾球遊技機。
【請求項３】
前記入賞装置は、
前記入球部を複数個備え、
各々の前記入球部に受け入れられた遊技球を前記通路部で合流させて単一の前記出球部から排出することを特徴とする請求項１または２記載の弾球遊技機。
【請求項４】
前記複数の入球部の少なくとも一つは、遊技球を受け入れ易い状態と遊技球を受け入れ難い状態との間で切換え可能な可動部材を備えていることを特徴とする請求項３記載の弾球遊技機。
【請求項５】
前記遊技基板は透光性を有し、該遊技基板の前面側に前記入賞装置を取り付けるとともに、前記入賞装置の出球口と対向する位置に前記アウト口を設けたことを特徴とする請求項１〜４のうちいずれか１項記載の弾球遊技機。
【発明の詳細な説明】
【０００１】
【発明の属する技術分野】
本発明は、遊技球を弾発して遊技を行う弾球遊技機に関するものである。
【０００２】
【従来の技術】
従来、パチンコ機に代表される弾球遊技機は、遊技球を弾発して遊技を行う遊技領域を有する遊技盤を備えている。そして、遊技盤を構成する遊技基板に貫通孔を開設し、貫通孔の前面側に、複数の入賞口を構成するための入賞口部材を取り付けるとともに、貫通孔の背面側に、各入賞口に入賞した遊技球を回収するための入賞球通路を設けている。
【０００３】
このような弾球遊技機では、遊技領域を流下する遊技球がいずれかの入賞口に入賞すると、該入賞球が貫通孔を通過して入賞球通路に導かれ回収される（例えば、特許文献１、特許文献２、特許文献３参照）。
【０００４】
【特許文献１】
特開２００１−１４９５９７号公報
【０００５】
【特許文献２】
特開平１１−２５３６２９号公報
【０００６】
【特許文献３】
特開２００１−１９８２８０号公報
【０００７】
【発明が解決しようとする課題】
しかしながら、上記従来の弾球遊技機では、入賞口に入賞した遊技球を回収するための入賞球通路が遊技基板の裏面に設けられているため、遊技基板に対して、入賞口と入賞球通路とを連通するための貫通孔を開設しなければならなかった。このため、遊技基板に対する孔開け加工を必要とし、製造工程が複雑となり、製造コストが上昇するという問題があった。
【０００８】
また、透光性を有する板状部材により遊技基板を製造するとともに、遊技基板の背面に大型の液晶表示装置を配設する場合には、遊技基板と液晶表示装置との間に入賞球通路を形成するための入賞球通路部材を配設しなければならない。このため、遊技基板と液晶表示装置との間に入賞球通路部材の厚み以上の隙間を設けなければならず、遊技基板と液晶表示装置との距離が開いてしまう。したがって、せっかく大型の液晶表示装置を採用したにもかかわらず、画面表示の鮮明さが損なわれて画面表示の迫力が減殺されるという問題があった。
【０００９】
本発明は、上述した事情に鑑み提案されたもので、遊技基板の製造および加工が容易で、かつ製造コストを低減することが可能な弾球遊技機を提供することを目的とする。
【００１０】
さらに、本発明は、透光性を有する樹脂製板等により遊技基板を製造するとともに、遊技基板の背面に大型の液晶表示装置を配設した場合に、遊技基板と液晶表示装置との隙間を小さくして、迫力ある画面表示を行うことが可能な弾球遊技機を提供することを目的とする。
【００１１】
【課題を解決するための手段】
本発明に係る弾球遊技機は、上述した目的を達成するため、以下の特徴点を備えている。なお、本発明に係る弾球遊技機の各構成要素について、図面に付した符号を参照して、具体的な適用例を示すが、各構成要素はこれらに限定されるものではない。
【００１２】
すなわち、本発明に係る弾球遊技機は、遊技基板（３０）上の遊技領域（２１）に打ち込まれた遊技球が入賞装置（５０）へ入球すると所定数の遊技球を賞球として払い出すとともに、前記入賞装置（５０）に入賞しなかった遊技球をアウト口（２３）から前記遊技領域（２１）外へ排出する弾球遊技機（パチンコ機１）であって、
前記入賞装置（５０）は、
前記遊技領域（２１）に打ち込まれた遊技球を受け入れる入球部（始動入賞口５４，一般入賞口５５，大入賞口５６）と、
前記入球部（始動入賞口５４，一般入賞口５５，大入賞口５６）に受け入れられた遊技球を前記アウト口（２３）へ排出する出球部（出球口５７）と、
前記入球部（始動入賞口５４，一般入賞口５５，大入賞口５６）および前記出球部（５７）を前記遊技基板（３０）の前面側で連通させる通路部（５２）とを一体に設けてなることを特徴とするものである。
【００１３】
このような構成からなる弾球遊技機用入賞装置（５０）では、入球部（始動入賞口５４，一般入賞口５５，大入賞口５６）、出球部（出球口５７）および通路部（５２）が一体的に形成された入賞装置（５０）を遊技基板（３０）に対して取り付けることにより、弾球遊技機（パチンコ機１）の製造工程が簡略化され、製造コストを低減することができる。
【００１４】
さらに、弾球遊技機（パチンコ機１）を廃棄する際に、遊技基板（３０）から入賞装置（５０）を取り外す手間が簡略化されるとともに、廃棄部材の分別が容易となり、廃棄部材をリサイクルして有効に利用することが可能となる。
【００１５】
また、前記弾球遊技機（パチンコ機１）において、前記入賞装置（５０）の前記入球部（始動入賞口５４，一般入賞口５５，大入賞口５６）に遊技球を検出する検出センサ（５９）を設けることが可能である。
【００１６】
このような構成からなる弾球遊技機（パチンコ機１）では、入球部（始動入賞口５４，一般入賞口５５，大入賞口５６）毎に入球した遊技球を検出することができる。このため、各検出センサ（５９）における遊技球の検出に基づいて、入球部（始動入賞口５４，一般入賞口５５，大入賞口５６）毎に払い出す賞球数を変更する等、多彩な機能を有する弾球遊技機（パチンコ機１）とすることができる。
【００１７】
また、前記弾球遊技機（パチンコ機１）において、前記入賞装置（５０）は、前記入球部（始動入賞口５４，一般入賞口５５，大入賞口５６）を複数個備え、各入球部（始動入賞口５４，一般入賞口５５，大入賞口５６）に受け入れられた遊技球を前記通路部（５２）で合流させて単一の前記出球部（５７）から排出することが可能である。
【００１８】
このような構成からなる弾球遊技機（パチンコ機１）では、複数の入球部（始動入賞口５４，一般入賞口５５，大入賞口５６）を一体に形成することができ、部品点数が削減される。このため、弾球遊技機（パチンコ機１）の製造が容易となるとともに、製造コストを低減することができる。
【００１９】
また、前記弾球遊技機（パチンコ機１）において、前記複数の入球部（始動入賞口５４，一般入賞口５５，大入賞口５６）の少なくとも一つ（例えば、大入賞口５６）は、遊技球を受け入れ易い状態と遊技球を受け入れ難い状態との間で切換え可能な可動部材（６０）を備えて構成することが可能である。
【００２０】
このような構成からなる弾球遊技機（パチンコ機１）では、可動部材（６０）が遊技球を受け入れ易い状態に切り換えられた際に、当該可動部材（６０）を有する入球部（例えば、大入賞口５６）に大量の遊技球を一挙に受け入れる可能性が高い。また、通路部（５２）は、複数の入球部（始動入賞口５４，一般入賞口５５，大入賞口５６）への入賞球を受け入れるため大口径となっており、可動部材（６０）を有する入球部（例えば、大入賞口５６）から受け入れられた大量の遊技球を、大口径の通路部（５２）に導いて出球部（出球口５７）から排出することができるので、入賞球通路（通路部５２）において球詰まりが発生するおそれが極めて低くなる。
【００２１】
また、前記弾球遊技機（パチンコ機１）において、前記遊技基板（３０）は透光性を有し、該遊技基板（３０）の前面側に前記入賞装置（５０）を取り付けるとともに、前記入賞装置（５０）の出球部（出球口５７）と対向する位置に前記アウト口（２３）を設けることが可能である。
【００２２】
このような構成からなる弾球遊技機（パチンコ機１）では、遊技基板（３０）にアウト口（２３）を穿設する必要が無くなるため、遊技基板（３０）の製造が容易になる。
【００２３】
また、入球部（始動入賞口５４，一般入賞口５５，大入賞口５６）に受け入れられた遊技球は、通路部（５２）を介して出球部（出球口５７）へ導かれ、アウト口（２３）へ排出される。そして、入球部（始動入賞口５４，一般入賞口５５，大入賞口５６）、通路部（５２）および出球部（出球口５７）は遊技基板（３０）の表面に設けられているため、透光性を有する板状部材により遊技基板（３０）を製造するとともに、遊技基板（３０）の背面に大型の液晶表示装置（４０）を配設する場合には、遊技基板（３０）の背面に、他の部材を隔てることなく液晶表示装置（４０）を配設することができ、迫力ある画面表示を行うことが可能となる。
【００２４】
なお、遊技基板（３０）と液晶表示装置（４０）との隙間が大きい場合には、遊技者が見る角度によって、遊技基板（３０）上の部材と、液晶表示装置（４０）の映像の位置関係が一定しないが、本発明に係る弾球遊技機（パチンコ機１）では、このような不都合を解消することができる。
【００２５】
【発明の実施の形態】
以下、図面を参照して、本発明に係る弾球遊技機の実施形態を説明する。なお、以下の説明においては、代表的な弾球遊技機としてパチンコ機を例にとって説明を行う。
【００２６】
図３は、本発明の実施形態に係るパチンコ機の正面図である。
本発明の実施形態に係るパチンコ機１は、図３に示すように、外枠２の上半部に開閉可能に取り付けられたフロントドア３を備えており、その下方には操作部４が設けられている。
【００２７】
操作部４には、遊技に使用するための遊技球を貯留するとともに賞として払い出される遊技球を受け入れるための上皿５と、上皿５からオーバーフローした遊技球を受け入れるための下皿６とが上下に並べて取り付けられている。また、下皿６の右側には遊技球の発射操作を行うための発射ハンドル７が設けられており、下皿６の左側には灰皿８が設けられている。さらに、上皿５には、当該パチンコ機１における球貸操作等を行うための操作パネル９が設けられており、上皿５の左右にはそれぞれスピーカ１０が配設されている。
【００２８】
また、フロントドア３の上部前面には遊技盤２０（図１参照）が取り付けられており、遊技盤２０の前方側（遊技者側）には遊技領域２１の前方を塞ぐためのガラス板（図示せず）が取り付けられている。さらに、遊技領域２１以外の領域の前方に位置するフロントドア３は、装飾枠２２となっている。
【００２９】
なお、遊技領域２１は、略円弧状の内外一対のガイドレール２５ａ，２５ｂ（図１参照）により囲まれている。また、遊技領域２１の下側において、内側ガイドレール２５ａと外側ガイドレール２５ｂとの間隔Ａ（図１参照）がアウト口２３となっているため、アウト口２３の開口面は図１中、上側を向くことになる。すなわち、本実施形態のパチンコ機１では、遊技基板３０にアウト口２３を穿設しておらず、内側ガイドレール２５ａまたは外側ガイドレール２５ｂによりアウト口２３へ導かれた遊技球は、そのまま遊技領域２１外へと落下する構造になっている。
【００３０】
＜入賞装置＞
図１および図２を参照して、本発明の実施形態に係るパチンコ機に用いる入賞装置を説明する。図１は、本発明の実施形態に係るパチンコ機に用いる遊技盤および入賞装置の正面図、図２は、本発明の実施形態に係るパチンコ機に用いる遊技盤および入賞装置の縦断面図である。
【００３１】
本発明の実施形態に係るパチンコ機１に用いる入賞装置５０は、図１に示すように、遊技領域２１の下部に設けられたアウト口２３の開口面を覆うようにして、遊技基板３０の前面側かつ表面上に取り付けられる。
この入賞装置５０は、図１に示すように、遊技基板３０に取り付けるベース基板５１を有しており、ベース基板５１の前面には、入賞口へ入賞した遊技球をアウト口２３へ排出するための通路部５２を形成する樋部材５３が取り付けられている。
【００３２】
この樋部材５３は、そのほぼ中央上部に始動入賞口５４を設け、始動入賞口５４の左右にそれぞれ一般入賞口５５を２個ずつ設け、左右両側面にそれぞれ大入賞口５６を設け、中央下部に、通路部５２へ取り込んだ遊技球をアウト口２３へ排出するための出球口５７を設けている。なお、樋部材５３の下部は、アウト口２３の開口面を覆っている。すなわち、アウト口２３の開口面と出球口５７の開口面とは、互いに向き合う位置関係となっている。この各入賞口５４，５５，５６が入球部として作用し、出球口５７が出球部として作用する。
【００３３】
また、樋部材５３の内側には、各入賞口５４，５５，５６へ入賞した遊技球を通路部５２のほぼ中央へ導くための複数のリブ５８が設けられている。なお、樋部材５３の下部においては、リブ５８が途切れており、ガイドレール２４ａ，２４ｂに沿って流下する遊技球をアウト口２３へ導くことができるようになっている。
【００３４】
また、各入賞口５４，５５，５６内には、遊技球を検出するための検出センサ５９が配設されている。各検出センサ５９により検出した遊技球に対する賞球数は、適宜設定することができる。
【００３５】
左右一対の大入賞口５６は、それぞれ複数の遊技球を一挙に受け入れ可能な状態と遊技球を受け入れ不能な状態との間で切換可能な可動部材６０を有している。この可動部材６０は、例えば液晶表示装置４０（図２参照）に変動表示される特別図柄の停止表示態様が所定の賞態様を構成した際に、所定時間および所定回数だけ複数の遊技球を一挙に受け入れ可能な状態（図１において二点差線で示す）に切り換えられるようになっている。
【００３６】
始動入賞口５４は、遊技球を受け入れ易い状態と遊技球を受け入れ難い状態との間で切換可能な一対の可動片６１を有しており、遊技球が入賞したことを条件として複数種類の特別図柄を変動表示可能な図柄表示装置（液晶表示装置４０）における特別図柄の変動表示を開始させるようになっている。この可動片６１は、例えば複数種類の普通図柄を変動表示可能な普通図柄表示装置（図示せず）に変動表示される普通図柄の停止表示態様が所定の賞態様を構成した際に、所定時間および所定回数だけ複数の遊技球を受け入れ易い状態に切り換えられるようになっている。
【００３７】
一般入賞口５５は、遊技球が入賞したことを条件として所定数の賞球を払い出すための入賞口である。
【００３８】
アウト口２３は、いずれの入賞口５４，５５，５６へも入賞しなかった遊技球と、通路部５２を介して出球口５７から排出される遊技球を遊技領域２１内から排出するためのものである。
【００３９】
各入賞口５４，５５，５６に入賞した遊技球Ｐは、図１および図２中、矢印付き一点鎖線で示すように、通路部５２のほぼ中央へ集められ、出球口５７からアウト口２３へ排出され、アウト口２３へ取り込まれて遊技領域２１内から排出される。また、いずれの入賞口５４，５５，５６へも入賞しなかった遊技球は、内側ガイドレール２５ａまたは外側ガイドレール２５ｂに沿って流下し、入賞装置５０のリブ５８に設けられた途切れ部分を通って、そのままアウト口２３へ取り込まれて遊技領域２１内から排出される。
【００４０】
＜遊技基板＞
遊技基板３０は、例えばＡＢＳ樹脂等の透光性を有する板状部材からなる。また、遊技領域２１の周囲前方に位置するフロントドア３は遊技領域より外周側を不透明な部材により形成している。したがって、遊技領域２１内は、遊技基板３０の背面側に配設された種々の遊技部材が視認可能な透光性領域となっており、遊技領域２１の外周側は、遊技基板３０の背面側に配設された種々の遊技部材が視認不能な隠蔽領域となっている。
【００４１】
さらに、遊技基板３０の背面には、図２に示すように、２０インチの液晶表示装置４０が配設されている。上述したように、遊技基板３０は透光性を有しているため、遊技基板３０の前面側から液晶表示装置４０を視認することができる。
【００４２】
このように、遊技基板３０の背面には、遊技球通路を形成するための遊技球通路部材が配設されておらず、直接、液晶表示装置４０が配設されている。このため、遊技基板３０と液晶表示装置４０との隙間が小さくなるので、液晶表示装置４０における画面表示の鮮明さが損なわれることなく、遊技基板３０の前面側から迫力ある画面表示を視認することができる。
【００４３】
なお、図示しないが、可動部材６０および可動片６１はそれぞれソレノイドにより駆動される。各ソレノイドは、それぞれ樋部材５３の左右側方に取り付けられている。また、各ソレノイドの配線は、入賞装置５０の背面側を通って遊技基板３０の下方へ導かれるが、この際、配線が入賞装置５０に隠れるようにして、遊技者から視認不能とすることが好ましい。
【００４４】
また、図示しないが、入賞装置５０のベース基板５１には、複数のビス挿通孔が設けてあり、このビス層通孔にビスを挿通してビスの先端を遊技基板３０に螺着することにより、入賞装置５０を遊技基板２３に取り付けることができる。このように、入賞装置５０は遊技基板２３にビス止めされているため、入賞装置５０の着脱を容易に行うことができる。
【００４５】
＜他の実施形態＞
本発明に係る弾球遊技機は、上記実施形態に限定されるものではなく、種々の変更を加えて実施することができる。
【００４６】
すなわち、入賞装置に形成する入賞口は、一般入賞口、始動入賞口、および大入賞口に限定されず、他の入賞口の組合せであってもよい。また、上記実施形態では、アウト口２３の開口面を覆うように入賞装置５０を遊技基板３０に取り付けているが、例えば、出球口５７から排出された遊技球が他の入賞装置に入賞しない位置に入賞装置５０を取り付けるのであれば、アウト口２３と入賞装置５０とを離して取り付けるようにしてもよい。また、この場合、従来のパチンコ機と同様に、遊技基板３０にアウト口を穿設してもよい。
【００４７】
また、液晶表示装置のサイズは２０インチに限定されるものではなく、他のサイズの液晶表示装置を用いてもよい。
【００４８】
さらに、本発明に係る弾球遊技機はパチンコ機に限られず、アレンジボール遊技機等の他の弾球遊技機であってもよい。
【００４９】
【発明の効果】
以上説明したように、本発明では、遊技基板に対して入賞装置を取り付ける手間が省略され、遊技基板の製造および加工が容易となり、ひいては、弾球遊技機の製造コストを低減することができる。
【００５０】
また、透光性を有する板状部材により遊技基板を製造するとともに、遊技基板の背面に大型の液晶表示装置を配設する場合には、遊技基板の背面に、他の部材を隔てることなく液晶表示装置を配設することができ、迫力ある画面表示を行うことが可能となる。
【図面の簡単な説明】
【図１】本発明の実施形態に係るパチンコ機に用いる遊技盤および入賞装置の正面図
【図２】本発明の実施形態に係るパチンコ機に用いる遊技盤および入賞装置の縦断面図
【図３】本発明の実施形態に係るパチンコ機の正面図
【符号の説明】
１  パチンコ機
２  外枠
３  フロントドア
４  操作部
５  上皿
６  下皿
７  発射ハンドル
８  灰皿
９  操作パネル
１０  スピーカ
２０  遊技盤
２１  遊技領域
２２  装飾枠
２３  アウト口
３０  遊技基板
４０  液晶表示装置
５０  入賞装置
５１  ベース基板
５２  通路部
５３  樋部材
５４  始動入賞口
５５  一般入賞口
５６  大入賞口
５７  出球口
５８  リブ
５９  検出センサ
６０  可動部材
６１  可動片
Ｐ  遊技球
【図１】
2004254720.tif 000003
【図２】
2004254720.tif 000004
【図３】
2004254720.tif 000005